【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
（ａ）ガリウム成分；セレン成分；有機カルコゲナイド成分；第１ｂ族成分；場合によって、二座チオール成分；場合によって、インジウム成分；の組み合わせを当初成分として含む第１ｂ族／ガリウム／（場合によってインジウム）／第６ａ族システムと、（ｂ）液体キャリア成分とを含む、ガリウム配合インクであって、
前記ガリウム成分がガリウム、安定化成分、添加剤およびガリウムキャリアを当初成分として含み；
前記有機カルコゲナイド成分がＲＺ−Ｚ’Ｒ’およびＲ２−ＳＨから選択される式を有する少なくとも１種の有機カルコゲナイドを含み、式中、ＺおよびＺ’は独立して硫黄、セレンおよびテルルから選択され；ＲはＨ、Ｃ１−２０アルキル基、Ｃ６−２０アリール基、Ｃ１−２０ヒドロキシアルキル基、Ｃ１−２０メルカプトアルキル基、およびエーテル基から選択され；Ｒ’およびＲ２はＣ１−２０アルキル基、Ｃ６−２０アリール基、Ｃ１−２０ヒドロキシアルキル基、Ｃ１−２０メルカプトアルキル基、およびエーテル基から選択され；
前記第１ｂ族成分はＣｕＣｌ２およびＣｕ２Ｏの少なくとも１種を当初成分として含み；
前記安定化成分は、１，３−プロパンジチオール、ベータ−メルカプトエタノール、これらの類似体およびこれらの混合物からなる群から選択され；
前記添加剤はピラジン、２−メチルピラジン、３−メチルピラゾール、メチル２−ピラジンカルボキシラート、ピラゾール、プラキサジン、ピラジンカルボキサミド、ピラジンカルボニトリル、２，５−ジメチルピラジン、２，３，５，６−テトラメチルピラジン、２−アミノピラジン、２−エチルピラジン、キノキサリン、Ｃ１−５アルキル基で置換されたキノキサリン、２−ピラジンカルボン酸、２，３−ピラジンジカルボキサミド、２，３−ピラジンジカルボニトリル、ピロリジノ−１−シクロヘキセン、ピロリジノ−１−シクロペンテン、フェナジン、Ｃ１−５アルキル基で置換されたフェナジン、イソキノリン、Ｃ１−５アルキル基で置換されたイソキノリン、インドール、Ｃ１−５アルキル基で置換されたインドール、イミダゾール、テトラゾール、Ｃ１−５アルキル基で置換されたテトラゾール、１，５−ジアザビシクロ［４．３．０］ノナ−５−エン、および１，８−ジアザビシクロ［５．４．０］ウンデカ−７−エンからなる群から選択され；
前記ガリウムキャリアはエチレンジアミン、ジエチレントリアミン、トリス（２−アミノエチル）アミン、トリエチレンテトラミン、ｎ−ブチルアミン、ｎ−ヘキシルアミン、オクチルアミン、２−エチル−１−ヘキシルアミン、３−アミノ−１−プロパノール、１−アミノ−２−プロパノール、１，３−ジアミノプロパン、１，２−ジアミノプロパン、１，２−ジアミノシクロヘキサン、ピリジン、ピロリジン、１−メチルイミダゾール、テトラメチルグアニジン、２−メチルピラジンおよびこれらの混合物から選択され；並びに
前記第１ｂ族／ガリウム／（場合によってインジウム）／第６ａ族システムは前記液体キャリア成分中に安定に分散されている；
ガリウム配合インク。
【請求項２】
安定化成分が１，３−プロパンジチオールおよびベータ−メルカプトエタノールから選択される、請求項１に記載のガリウム配合インク。
【請求項３】
添加剤が、１，５−ジアザビシクロ［４．３．０］ノナ−５−エン、１，８−ジアザビシクロ［５．４．０］ウンデカ−７−エン、ピロリジノ−１−シクロヘキセン、ピロリドン−１−シクロペンテン、ピラジンおよび２−メチルピラジンから選択される、請求項１に記載のガリウム配合インク。
【請求項４】
ガリウムキャリアが１，３−ジアミノプロパン、１，２−ジアミノプロパン、２−メチルピラジンおよびこれらの混合物から選択される、請求項１に記載のガリウム配合インク。
【請求項５】
液体キャリア成分が窒素含有溶媒および窒素含有溶媒の混和性混合物から選択される、請求項１に記載のガリウム配合インク。
【請求項６】
液体キャリア成分が式ＮＲ３（式中、各Ｒは独立して、Ｈ、Ｃ１−１０アルキル基、Ｃ６−１０アリール基およびＣ１−１０アミノアルキル基から選択される）を有する液体アミンから選択される、請求項１に記載のガリウム配合インク。
【請求項７】
液体キャリア成分がエチレンジアミン、ジエチレントリアミン、トリス（２−アミノエチル）アミン、トリエチレンテトラミン、ｎ−ブチルアミン、ｎ−ヘキシルアミン、オクチルアミン、２−エチル−１−ヘキシルアミン、３−アミノ−１−プロパノール、１−アミノ−２−プロパノール、１，３−ジアミノプロパン、１，２−ジアミノプロパン、１，２−ジアミノシクロヘキサン、ピリジン、ピロリジン、１−メチルイミダゾール、テトラメチルグアニジンおよびこれらの混合物から選択される、請求項１に記載のガリウム配合インク。
【請求項８】
セレン：銅：ガリウム＋場合によるインジウムのモル比が２：０．５：１〜１０：１．５：１である、請求項１に記載のガリウム配合インク。
【請求項９】
ガリウムを提供し；
１，３−プロパンジチオール、ベータ−メルカプトエタノール、これらの類似体およびこれらの混合物から選択される安定化成分を提供し；
ピラジン、２−メチルピラジン、３−メチルピラゾール、メチル２−ピラジンカルボキシラート、ピラゾール、プラキサジン、ピラジンカルボキサミド、ピラジンカルボニトリル、２，５−ジメチルピラジン、２，３，５，６−テトラメチルピラジン、２−アミノピラジン、２−エチルピラジン、キノキサリン、Ｃ１−５アルキル基で置換されたキノキサリン、２−ピラジンカルボン酸、２，３−ピラジンジカルボキサミド、２，３−ピラジンジカルボニトリル、ピロリジノ−１−シクロヘキセン、ピロリジノ−１−シクロペンテン、フェナジン、Ｃ１−５アルキル基で置換されたフェナジン、イソキノリン、Ｃ１−５アルキル基で置換されたイソキノリン、インドール、Ｃ１−５アルキル基で置換されたインドール、イミダゾール、テトラゾール、Ｃ１−５アルキル基で置換されたテトラゾール、１，５−ジアザビシクロ［４．３．０］ノナ−５−エン、および１，８−ジアザビシクロ［５．４．０］ウンデカ−７−エンからなる群から選択される添加剤を提供し；
エチレンジアミン、ジエチレントリアミン、トリス（２−アミノエチル）アミン、トリエチレンテトラミン、ｎ−ブチルアミン、ｎ−ヘキシルアミン、オクチルアミン、２−エチル−１−ヘキシルアミン、３−アミノ−１−プロパノール、１−アミノ−２−プロパノール、１，３−ジアミノプロパン、１，２−ジアミノプロパン、１，２−ジアミノシクロヘキサン、ピリジン、ピロリジン、１−メチルイミダゾール、テトラメチルグアニジン、２−メチルピラジンおよびこれらの混合物から選択されるガリウムキャリアを提供し；
セレンを提供し；
第１の有機カルコゲナイドおよび場合によっては第２の有機カルコゲナイドを含む有機カルコゲナイド成分を提供し、ここで前記第１の有機カルコゲナイドおよび前記第２の有機カルコゲナイドはいずれもＲＺ−Ｚ’Ｒ’およびＲ２−ＳＨから独立して選択される式を有し、式中、ＺおよびＺ’は独立して硫黄、セレンおよびテルルから選択され、ＲはＨ、Ｃ１−２０アルキル基、Ｃ６−２０アリール基、Ｃ１−２０ヒドロキシアルキル基、Ｃ１−２０メルカプトアルキル基、およびエーテル基から選択され、Ｒ’およびＲ２はＣ１−２０アルキル基、Ｃ６−２０アリール基、Ｃ１−２０ヒドロキシアルキル基、Ｃ１−２０メルカプトアルキル基、およびエーテル基から選択される；
ＣｕＣｌ２およびＣｕ２Ｏの少なくとも１種を当初成分として含む第１ｂ族成分を提供し；
第１ｂ族リガンド成分を提供し；
インジウムを場合によって提供し；
第１の液体キャリア、第２の液体キャリアおよび場合によって第３の液体キャリアを含む液体キャリア成分を提供し；
ガリウム、安定化成分、添加剤およびガリウムキャリアを一緒にして、ガリウム成分を生じさせ；
セレン、第１の有機カルコゲナイドおよび第１の液体キャリアを一緒にし、この一緒にしたものを攪拌しつつ加熱して化合したセレン／有機カルコゲナイド成分を生じさせ；
第１ｂ族成分、第１ｂ族リガンド成分および第２の液体キャリアを一緒にして、第１ｂ族物質／リガンド成分を生じさせ；
場合によって、インジウム、第２の有機カルコゲナイドおよび第３の液体キャリアを一緒にして、場合によるインジウム／有機カルコゲナイド成分を生じさせ；
ガリウム成分、化合したセレン／有機カルコゲナイド成分、第１ｂ族物質／リガンド成分、および場合によるインジウム／有機カルコゲナイド成分を一緒にして、ガリウム配合インクを形成することを含み、
前記ガリウム配合インクが安定な分散物であり、
第１の液体キャリア、第２の液体キャリアおよび場合による第３の液体キャリアはガリウムキャリアと一緒に混和可能であるかまたは同じである、
請求項１に記載のガリウム配合インクを製造する方法。
【請求項１０】
基体を提供し；
請求項１に記載のガリウム配合インクを提供し；
ガリウム配合インクを基体上に堆積させ；
堆積したガリウム配合インクを加熱してガリウムキャリア、第１の液体キャリア、第２の液体キャリアおよび場合による第３の液体キャリアを除いて、第１ｂ族／ガリウム／（場合によってインジウム）／第６ａ族物質を基体上に残し；並びに
場合によっては、第１ｂ族／ガリウム／（場合によってインジウム）／第６ａ族物質をアニールする；
ことを含み、
前記第１ｂ族／ガリウム／（場合によってインジウム）／第６ａ族物質は式  ＮａＬＣｕｍＧａｄＩｎ（１−ｄ）Ｓ（２＋ｅ）（１−ｆ）Ｓｅ（２＋ｅ）ｆ（式中、０≦Ｌ≦０．２５、０．２５≦ｍ≦１．５、０≦ｄ≦１、−０．２≦ｅ≦０．５、０＜ｆ≦１、０．５≦（Ｌ＋ｍ）≦１．５、および１．８≦｛（２＋ｅ）ｆ＋（２＋ｅ）（１−ｆ）｝≦２．５である）に従う、
第１ｂ族／ガリウム／（場合によってインジウム）／第６ａ族物質を基体上に堆積させる方法。